(57)【要約】【課題】新規な花壇及びそれを複数組み合わせてなる花壇セットを提供すること。【解決手段】台形の板と、板の辺に沿って配置される壁材と、壁材の上に配置される縁材と、該板における台形の頂点近傍に配置される脚材と、を有する花壇とする。また、台形の板と、板の辺に沿って配置される壁材と、壁材の上に配置される縁材と、該板における台形の頂点近傍に配置される脚材と、を有する花壇を複数組み合わせてなる花壇セットとする。【選択図】図１
2007300830.tif 000002
【特許請求の範囲】
【請求項１】
台形の板と、
前記板の辺に沿って配置される壁材と、
前記壁材の上に配置される縁材と、
該板における台形の頂点近傍に配置される脚材と、を有する花壇。
【請求項２】
前記脚材は、前記花壇を前記板に略垂直な方向から見た場合に、はみ出していないことを特徴とする請求項１記載の花壇。
【請求項３】
前記板の台形は、下辺の長さが上辺の長さの２倍であり、かつ、下辺と右辺のなす角度、下辺と左辺とのなす角度がいずれも６０°であることを特徴とする請求項１記載の花壇。
【請求項４】
前記下辺の長さは１２０ｃｍ以上２００ｃｍ以下の範囲内にあることを特徴とする請求項１記載の花壇。
【請求項５】
前記脚材の長さは７０ｃｍ以上８５ｃｍ以下の範囲内にあることを特徴とする請求項１記載の花壇。
【請求項６】
前記縁材は、前記壁材の上部全体を覆っていることを特徴とする請求項１記載の花壇。
【請求項７】
前記縁材の幅は、１２ｃｍ以上２０ｃｍ以下の範囲内にあることを特徴とする請求項１記載の花壇。
【請求項８】
台形の板と、前記板の辺に沿って配置される壁材と、前記壁材の上に配置される縁材と、該板における台形の頂点近傍に配置される脚材と、を有する花壇を複数組み合わせてなる花壇セット。
【請求項９】
前記複数の花壇は、隣接する花壇と右辺又は左辺で接しており、かつ、Ｃ字型に配置されていることを特徴とする請求項８記載の花壇セット。
【請求項１０】
前記花壇における前記板の台形は、下辺の長さが上辺の長さの２倍であり、かつ、下辺と右辺のなす角度、下辺と左辺とのなす角度がいずれも６０°であることを特徴とする請求項８記載の花壇セット。
【請求項１１】
前記花壇における前記下辺の長さは１２０ｃｍ以上２００ｃｍ以下の範囲内にあることを特徴とする請求項８記載の花壇セット。
【請求項１２】
前記花壇における前記脚材の長さは７０ｃｍ以上８５ｃｍ以下の範囲内にあることを特徴とする請求項８記載の花壇セット。
【請求項１３】
前記花壇における前記縁材は、前記壁材の上部全体を覆っていることを特徴とする請求項１記載の花壇セット。
【請求項１４】
前記縁材の幅は、１２ｃｍ以上２０ｃｍ以下の範囲内にあることを特徴とする請求項８記載の花壇セット。
【発明の詳細な説明】
【技術分野】
【０００１】
本発明は、園芸用の花壇に関し、特に園芸療法に好適なものに関する。更には、この花壇を複数組み合わせてなる花壇セットに関する。
【背景技術】
【０００２】
病院等では患者が土や植物に直接触れることによって自然を感じ、精神的に好影響をもたらす園芸療法が行われている。園芸療法は、自発的な活動やコミュニケーションのきっかけになりうるが、高齢者や障害者が種や苗を植え付けるために土や植物に触れるだけではなく、視覚を用いて土や植物に接することが重要である。
【０００３】
従来の園芸用の花壇に関する技術は、例えば、下記特許文献１乃至６に記載がある。
【０００４】
【特許文献１】特開２０００−５０７３５号公報
【特許文献２】特開２００４−２６７００９号公報
【特許文献３】特開平９−２５２６５２号公報
【特許文献４】特開２００３−１０２２７７号公報
【特許文献５】特開２００１−２９９１０２号公報
【特許文献６】特開２００３−２３８７０号公報
【発明の開示】
【発明が解決しようとする課題】
【０００５】
しかしながら、上記特許文献に記載の花壇はいずれも花壇一つの使用を想定したものであって、複数の花壇を組み合わせることを想定しておらず、形状において課題を残す。
【０００６】
そこで、本発明は上記課題を鑑み、新規な花壇及びそれを複数組み合わせてなる花壇セットを提供することを目的とする。
【課題を解決するための手段】
【０００７】
すなわち本発明の一形態に係る花壇は、台形の板と、板の辺に沿って配置される壁材と、壁材の上に配置される縁材と、板における台形の頂点近傍に配置される脚材と、を有する。
【０００８】
また、この花壇において、限定されるわけではないが、脚材は花壇を前記板に略垂直な方向から見た場合にはみ出していないことが望ましい。
【０００９】
また、この花壇において、限定されるわけではないが、板の台形は、下辺の長さが上辺の長さの２倍であり、かつ、下辺と右辺のなす角度、下辺と左辺とのなす角度がいずれも６０°であることも望ましい。
【００１０】
また、この花壇において、限定されるわけではないが、下辺の長さは１２０ｃｍ以上２００ｃｍ以下の範囲内にあることが望ましい。
【００１１】
また、この花壇において、限定されるわけではないが、脚材の長さは７０ｃｍ以上８５ｃｍ以下の範囲内にあることが望ましい。
【００１２】
また、この花壇において、限定されるわけではないが、縁材は、壁材の上部全体を覆っていることが望ましい。
【００１３】
また、この花壇において、限定されるわけではないが、縁材の幅は、１２ｃｍ以上２０ｃｍ以下の範囲内にあることが望ましい。
【００１４】
また、本発明の他の形態にかかる花壇セットは、台形の板と、前記板の辺に沿って配置される壁材と、前記壁材の上に配置される縁材と、該板における台形の頂点近傍に配置される脚材と、を有する花壇を複数組み合わせてなる。
【００１５】
また、この花壇セットにおいて、限定されるわけではないが、複数の花壇は、隣接する花壇と右辺又は左辺で接しており、かつ、Ｃ字型に配置されていることが望ましい。
【００１６】
また、この花壇セットにおいて、限定されるわけではないが、花壇における板の台形は、下辺の長さが上辺の長さの２倍であり、かつ、下辺と右辺のなす角度、下辺と左辺とのなす角度がいずれも６０°であることが望ましい。
【００１７】
また、この花壇セットにおいて、限定されるわけではないが、花壇における下辺の長さは１２０ｃｍ以上２００ｃｍ以下の範囲内にあることが望ましい。
【００１８】
また、この花壇セットにおいて、限定されるわけではないが、花壇における脚材の長さは７０ｃｍ以上８５ｃｍ以下の範囲内にあることが望ましい。
【００１９】
また、この花壇セットにおいて、限定されるわけではないが、花壇における縁材は、前記壁材の上部全体を覆っていることが望ましい。
【００２０】
また、この花壇セットにおいて、限定されるわけではないが、縁材の幅は、１２ｃｍ以上２０ｃｍ以下の範囲内にあることが望ましい。
【発明の効果】
【００２１】
以上、本発明によると、新規な花壇及びそれを用いた花壇セットを提供することができる。
【発明を実施するための最良の形態】
【００２２】
以下、本発明の実施の形態について図面を用いて説明するが、本発明は異なる多くの態様による実施が可能であって、以下に示す実施形態及び実施例に限定されることはない。
【００２３】
（実施形態１）
図１に、本実施形態に係る花壇セットの斜視図を示す。本花壇セット１は複数の花壇２を配列することで構成されている。具体的に説明すると図１に示す花壇セット１は、花壇２それぞれの辺同士が接し、略Ｃ字状に形成されている。本花壇セットは、Ｃ字の内側及び外側のいずれからも作業を行うことが可能であって、特に高齢者や車椅子を利用するユーザーにとっても使いやすくなっている。
【００２４】
ここで図２に本実施形態における花壇２の平面図を、図３に底面図を、図４に正面図を、図５に背面図を、図６に左側面図を、図７に図２におけるＡ−Ａ’断面図をそれぞれ示す。なお、右側面は、左側面を対称にしたものであるため省略する。
【００２５】
図２乃至図７で示すように本実施形態における花壇２は、台形の板３と、板３の辺に沿って配置される壁材４と、壁材４の上に配置される縁材５と、板３における台形の頂点近傍に配置され板３を支持する複数の脚材６と、を有して構成される。
【００２６】
板３は、鉢植又は土を配置するための台となる部分であって、上記の通り台形となっている。上記の限り限定されるものではないが、花壇を複数組み合わせた場合であってもその配置の対称性をできる限り高くすると同時に、ユーザーの作業性を向上させる観点から、台形の下辺３１（台形の平行な二辺のうちの長い方の辺をいう。以下同じ。）の長さは上辺３２（台形の平行な二辺のうちの短い方の辺をいう。以下同じ。）の長さの１．８倍以上２．２倍以下の範囲内にあることが望ましく、より望ましくは２倍である。また、限定されるわけではないが左辺３３（図２で示す正面図において下辺に対し左側にある辺をいう。以下同じ。）と下辺３１がなす角度、右辺３４（図２で示す正面図において下辺に対し右側にある辺をいう。以下同じ。）と下辺３１がなす角度はそれぞれ５４°以上６６°以下の範囲内にあることが望ましく、より望ましくは６０°である。このようにすることで組み合わせた花壇の配置の対称性をできる限り高くし、ユーザーの作業スペースを広く確保することができる。例えば、花壇を二つ用い、その下辺同士を合わせることで正六角形とすることも可能であり（図８参照）、また花壇を三つ用い、一の花壇の上辺と他の花壇の左辺とを合わせることで正三角形とすることも可能であり（図９参照）、二つの花壇の左辺同士又は右辺同士を合わせることで平行四辺形とすることもでき（図１０参照）、更にその他様々な形態とすることが可能となる。
【００２７】
また、板３の辺の長さは、ユーザーが作業しやすい限りにおいて限定されるわけではないが、例えば下辺２１は１２０ｃｍ以上２００ｃｍ以下の範囲内にあることが好ましく、個人で使用する場合により好ましくは１２０ｃｍ以上１５０ｃｍ以下、複数人で使用する場合により好ましくは１５０ｃｍ以上２００ｃｍ以下の範囲である。これは、１５０ｃｍ以上とすることで車椅子を使用するユーザーと介護者１名が作業可能となり、１８０ｃｍ以上とすることで車椅子を使用するユーザーの場合、一般的な車椅子（幅５５ｃｍ以上６５ｃｍ以下）であれば下辺において、花壇の脚部に干渉することなく二人同時の作業が可能となるためである。同時に、上辺においても車椅子使用者も作業が可能となる。またこの範囲内であれば、下辺側あるいは上辺側から作業する場合に身体に適度な負荷がかかり、下辺側と上辺側の両側から作業する場合は、楽な姿勢で作業することが可能になる。
【００２８】
壁材４は、板３の辺に沿って板３を囲い、鉢植え又は土を直接配置するための空間を形成するものである。鉢植えを配置する場合、壁は隙間を有して配置されていても良いが、土を直接配置する場合を考慮すると板２の辺全てを覆って配置されていることが好ましい。なお、壁材の高さは適宜調節可能であって特に限定されるものではないが、例えば多くの種類の植物に対応しながらも、作業性を損なわないためには８ｃｍ以上２０ｃｍ以下であることが望ましい。
【００２９】
縁材５は、壁材４の上に配置されるものであって、ユーザーが作業を行う際に手や腕等を置く部材である。図２乃至図７で示すとおり、縁材５は壁材４の上部全体を覆うように配置されている。縁材５の幅は、ユーザーの作業のしやすさを確保できる限りにおいて限定されるわけではないが、１２ｃｍ以上２０ｃｍ以下であることが望ましい。
【００３０】
複数の脚材６は脚板２における台形の各頂点近傍に配置され、板３等を支持する部材である。長さとしては特段に限定されるわけではないが、車椅子使用者や高齢者などと健常者が同時に使用することを考慮するとから７０ｃｍ以上８５ｃｍ以下の範囲内にあることが望ましい。
【００３１】
以上、新規な花壇及びそれを用いた花壇セットを提供することができる。なお、図１では、同じ高さの花壇を組み合わせた例を示しているが、複数のユーザーに対する使用を考慮し、園芸療法をより効果的に行うため、高さが異なる花壇を複数組み合わせることも可能である。この場合、限定されるわけではないが花壇の高さ（設置面から縁材４の上面までの高さをいう。）が概ね７５ｃｍから９０ｃｍの間で約５ｃｍずつ異ならせたものを組み合わせることも望ましい（例えば図１１参照）。なお、組み合わせる花壇についても、同じものであることが望ましいが、他の形態の花壇と組み合わせることも可能であることはいうまでもない。
【００３２】
（実施形態２）
本実施形態に係る花壇セット１は、花壇における縁材５の配置が上記実施形態１と異なる以外はほぼ同じであり、上記実施形態１と大きく異なる部分のみ説明する。
【００３３】
本実施形態に係る縁材５は、板３の台形の各頂点部分に配置されている。本実施形態に係る花壇の平面図を図１２に、図１３に底面図を、図１４に正面図を、図１５に背面図を、図１６に左側面図を、図１７に図１２におけるＡ−Ａ’断面図をそれぞれ示す。なお、右側面は、左側面を対称にしたものであるため省略する。本縁材５の形状は限定されるわけではないが、円形状であってもよく、四角形や三角形などの多角形状であってもよい。このようにすることで、縁材５の上以外に、又は代わりに作業台として使用できるようになる。
【００３４】
以上、本実施形態によっても新規な花壇及びそれを用いた花壇セットを提供することができる。
【図面の簡単な説明】
【００３５】
【図１】本発明の一実施形態に係る花壇セットの斜視図である。
【図２】本発明の一実施形態に係る花壇の平面図である。
【図３】本発明の一実施形態に係る花壇の底面図である。
【図４】本発明の一実施形態に係る花壇の正面図である。
【図５】本発明の一実施形態に係る花壇の背面図である。
【図６】本発明の一実施形態に係る花壇の左側面図である。
【図７】図２におけるＡ−Ａ’断面図である。
【図８】本発明の一実施形態の花壇セットの他の配置形態の例を示す図である。
【図９】本発明の一実施形態の花壇セットの他の配置形態の例を示す図である。
【図１０】本発明の一実施形態の花壇セットの他の配置形態の例を示す図である。
【図１１】本発明の一実施形態の花壇の他の例を示す図である。
【図１２】本発明の一実施形態に係る花壇の平面図である。
【図１３】本発明の一実施形態に係る花壇の底面図である。
【図１４】本発明の一実施形態に係る花壇の正面図である。
【図１５】本発明の一実施形態に係る花壇の背面図である。
【図１６】本発明の一実施形態に係る花壇の左側面図である。
【図１７】図１２におけるＡ−Ａ’断面図である。
【符号の説明】
【００３６】
１…花壇セット、２…花壇、３…板、４…壁材、５…縁材、６…脚材
【図１】
2007300830.tif 000003
【図２】
2007300830.tif 000004
【図３】
2007300830.tif 000005
【図４】
2007300830.tif 000006
【図５】
2007300830.tif 000007
【図６】
2007300830.tif 000008
【図７】
2007300830.tif 000009
【図８】
2007300830.tif 000010
【図９】
2007300830.tif 000011
【図１０】
2007300830.tif 000012
【図１１】
2007300830.tif 000013
【図１２】
2007300830.tif 000014
【図１３】
2007300830.tif 000015
【図１４】
2007300830.tif 000016
【図１５】
2007300830.tif 000017
【図１６】
2007300830.tif 000018
【図１７】
2007300830.tif 000019